(57)【要約】【課題】より小型化できて持ち運び容易性を向上させ得る支持構造を提供する。【解決手段】ドーム形状のテント膜を内側から支持する支持構造１であって、天井部で連結される複数の支持部材１０を備え、各支持部材１０は、短冊状をした複数の支持片１１、１２、１３が、隣り合うもの同士１１と１２、１２と１３を軸支して折り畳み可能に連結され、かつ、隣り合う支持片同士１１と１２、１２と１３を所定角度に折れ曲がった状態で固定手段により固定して形成される。【選択図】図１
2008174956.tif 000002
【特許請求の範囲】
【請求項１】
ドーム形状または蒲鉾形状のテント膜を内側から支持する支持構造であって、
天井部で連結される複数の支持部材を備え、各支持部材は、短冊状をした複数の支持片が、隣り合うもの同士を軸支して折り畳み可能に連結され、かつ、隣り合う支持片同士を所定角度に折れ曲がった状態で固定手段により固定して形成されることを特徴とする支持構造。
【請求項２】
請求項１に記載の支持構造において、前記複数の支持片は、順々に上端側の支持片をその下端側の支持片に設けた空洞の中に折り畳んで重合させる構成となっていることを特徴とする支持構造。
【請求項３】
請求項２に記載の支持構造において、最上端の支持片は一枚板で、他の支持片は対向する一対の支持板の両端の一方に一つ上側の支持片の端部を挟持させるとともに他方に厚み調整板を挟持させ、かつ一対の支持板の間で前記空洞が形成された構成となっていることを特徴とする支持構造。
【請求項４】
請求項１乃至３のいずれか一つに記載の支持構造において、前記複数の支持片は木材により形成されていることを特徴とする支持構造。
【請求項５】
請求項１乃至４のいずれか一つに記載の支持構造における支持部材を用いて蒲鉾形状のテント膜を内側から支持する支持構造であって、
天井部に配される連結部材を用い、この連結部材に２つの支持部材の上端部が連結されてアーチ状の支持枠が形成され、そのアーチ状の支持枠が並設されるとともに隣り合う支持枠が並設用連結手段により連結されたことを特徴とする支持構造。
【請求項６】
請求項５に記載の支持構造であって、
並設用連結手段は、隣り合う支持枠の両者にそれぞれ取付けられる取付部材と、これら取付部材に両端が取付けられる連結棒部材とを有し、上記取付部材が前記連結部材と一体形成されていることを特徴とする支持構造。
【請求項７】
請求項１乃至４のいずれか一つに記載の支持構造における支持部材を用いてドーム形状のテント膜を内側から支持する支持構造であって、
鉛直軸の周りに固定部が放射状に設けられたドーム形状用連結部材を用い、３つ以上の支持部材の各上端側を前記ドーム形状用連結部材の固定部に取付けることで構成されることを特徴とする支持構造。
【発明の詳細な説明】
【技術分野】
【０００１】
本発明は、ドーム形状または蒲鉾形状のテント膜を内側から支持する支持構造に関する。
【背景技術】
【０００２】
上述したドーム形状のテント膜を内側から支持する支持構造として、図１４に示すようにゲルに相当するものが知られている（例えば特許文献１参照）。この支持構造１００は、互いに離隔して対向配設される一対の対向板１０２、１０３を有する天井部材１０１と、その天井部材１０１の両対向板１０２、１０３の間に一端部１１０ａが着脱可能かつ回動可能に支持され、天井部材１０１から外方に延出して天井部材１０１を、両対向板１０２、１０３の離隔方向を鉛直方向として浮上状態に支持する多数の支持部材１１０とを具備する。
【特許文献１】特開２００４−４４０８８号公報
【発明の開示】
【発明が解決しようとする課題】
【０００３】
ところで、上述したゲル相当の支持構造１００においては、天井部材１０１と支持部材１１０とを分離することができるので、持ち運びを容易に行い得る構成となっている。
【０００４】
しかしながら、より小型のテントなどの支持構造に関しては、更なる持ち運び容易性が要求されている。
【０００５】
そこで、本発明は、このような従来技術の課題を解決することができるように、より小型化できて持ち運び容易性を向上させ得る支持構造を提供することを目的とする。
【課題を解決するための手段】
【０００６】
請求項１の発明は、ドーム形状または蒲鉾形状のテント膜を内側から支持する支持構造であって、天井部で連結される複数の支持部材を備え、各支持部材は、短冊状をした複数の支持片が、隣り合うもの同士を軸支して折り畳み可能に連結され、かつ、隣り合う支持片同士を所定角度に折れ曲がった状態で固定手段により固定して形成されることを特徴とする。
【０００７】
請求項２の発明は、請求項１に記載の支持構造において、前記複数の支持片は、順々に上端側の支持片をその下端側の支持片に設けた空洞の中に折り畳んで重合させる構成となっていることを特徴とする。
【０００８】
請求項３の発明は、請求項２に記載の支持構造において、最上端の支持片は一枚板で、他の支持片は対向する一対の支持板の両端の一方に一つ上側の支持片の端部を挟持させるとともに他方に厚み調整板を挟持させ、かつ一対の支持板の間で前記空洞が形成された構成となっていることを特徴とする。
【０００９】
請求項４の発明は、請求項１乃至３のいずれか一つに記載の支持構造において、前記複数の支持片は木材により形成されていることを特徴とする。
【００１０】
請求項５の発明は、請求項１乃至４のいずれか一つに記載の支持構造における支持部材を用いて蒲鉾形状のテント膜を内側から支持する支持構造であって、天井部に配される連結部材を用い、この連結部材に２つの支持部材の上端部が連結されてアーチ状の支持枠が形成され、そのアーチ状の支持枠が並設されるとともに隣り合う支持枠が並設用連結手段により連結されたことを特徴とする。
【００１１】
請求項６の発明は、請求項５に記載の支持構造であって、並設用連結手段は、隣り合う支持枠の両者にそれぞれ取付けられる取付部材と、これら取付部材に両端が取付けられる連結棒部材とを有し、上記取付部材が前記連結部材と一体形成されていることを特徴とする。
【００１２】
請求項７の発明は、請求項１乃至４のいずれか一つに記載の支持構造における支持部材を用いてドーム形状のテント膜を内側から支持する支持構造であって、鉛直軸の周りに固定部が放射状に設けられたドーム形状用連結部材を用い、３つ以上の支持部材の各上端側を前記ドーム形状用連結部材の固定部に取付けることで構成されることを特徴とする。
【発明の効果】
【００１３】
本発明の支持構造による場合には、短冊状をした複数の支持片が、隣り合うもの同士を軸支して折り畳み可能に連結されているので、複数の支持片を折り畳むことで支持部材をより小型化でき、持ち運び容易性を向上させ得る。また、隣り合う支持片同士を所定角度に折れ曲がった状態で固定手段により固定して形成すると、テント膜を内側から支持する支持構造を組み立てることができる。
【００１４】
請求項２の発明による場合には、複数の支持片が、順々に上端側の支持片をその下端側の支持片に設けた空洞の中に折り畳んで重合させる構成となっているので、支持部材を極めて小型化できるとともに持ち運び容易性を更に向上させ得る。また、下端側の支持片は幅広になるため、接地性を向上させ得、支持構造を安定化させ得る。
【００１５】
請求項３の発明による場合には、最上端以外の支持片、つまり空洞を有する支持片を簡単に作製することが可能となる。即ち、一つ上側の支持片の端部と厚み調整板とを挟むように一対の支持板を対向配置させればよいからである。
【００１６】
請求項５の発明による場合には、アーチ状の支持枠が並設されるとともに並設する隣り合う支持枠が並設用連結手段により連結されているので、蒲鉾形状のテント膜を内側から支持する支持構造を得ることができる。
【００１７】
請求項６の発明による場合には、連結部材と並設用連結手段の一部とが一体形成されているので、構成を簡略化することが可能になる。
【００１８】
請求項７の発明による場合には、ドーム形状用連結部材に放射状に設けられた固定部に、３つ以上の支持枠体の各上端側を取付けることで、ドーム形状のテント膜を内側から支持する支持構造を得ることができる。
【発明を実施するための最良の形態】
【００１９】
以下に本発明を具体的に説明する。
【００２０】
（第１実施形態）
図１は本発明の一実施形態に係る支持構造を示す外観斜視図であり、図２はこの支持構造により支持されるドーム形状のテント膜を示す外観斜視図である。
【００２１】
この支持構造１は、平面視で概略六角形をしたドーム形状のテント膜２を内側から支持するものであり、天井部分に配されるドーム形状用連結部材３に複数の支持部材１０が放射状に連結された構成となっている。
【００２２】
図３は、上記ドーム形状用連結部材３を示す平面図である。
【００２３】
このドーム形状用連結部材３は、図示例では円柱部材４の周りに６つの固定部５が放射状に設けられたもので、各固定部５は円柱部材４の外周面から外側へ突出した突出部６を有し、その突出部６に設けた取付孔６ａに、支持部材１０の一端側（上端側）が、例えばボルト・ナットにより連結されている。なお、円柱部材４は、その軸心が鉛直軸にほぼ一致するように配設される。
【００２４】
図４および図５は、支持部材１０の構成を示す図であり、図４は図５とは直交する方向から見た図である。なお、図４は支持部材１０を真っ直ぐ伸ばした状態を示し、図５は支持片１１、１２、１３を所定角度に折り曲げた状態を示す。
【００２５】
支持部材１０は、短冊状をした複数、例えば３つの支持片１１、１２、１３を備える。一番左側（上端側）の支持片１１は一つの支持板１１ａからなり、その一つ右側（下端側）の中央の支持片１２は対向配置した２枚の支持板１２ａ、１２ｂからなり、右端（最下端）の支持片１３は対向配置した２枚の支持板１３ａ、１３ｂからなる。
【００２６】
上記左側の支持片１１には、支持板１１ａの左端部（一端部）に取付孔１１ｂが設けられている。この取付孔１１ｂは、ドーム形状用連結部材３の固定部５に設けた取付孔６ａに、例えばボルト・ナット７を介して取付けるためのものである（図３参照）。
【００２７】
上記中央の支持片１２は、その左側端部において２枚の支持板１２ａ、１２ｂの間に左側の支持板１１ａを挟み、支持片１２の右側端部において２枚の支持板１２ａ、１２ｂの間に厚み調整板１２ｃを挟んで構成され、長手方向中央部には空洞１２ｄが設けられている。そして、３つの支持板１２ａ、１２ｂ、１１ａが重なった部分には軸１４とピン挿入孔１５とが設けられている。軸１４は、支持片１１と支持片１２とを相互に揺動でき、折り畳みことができるようにするものである。ピン挿入孔１５は、本実施形態では３つの支持板１２ａ、１２ｂ、１１ａのそれぞれに設けられており、これらピン挿入孔１５に対し固定ピン１６を挿入することで、図５に示すように、支持片１１と支持片１２との間の挟角θ１を一定に固定できるようになっている。上記ピン挿入孔１５および固定ピン１６は固定手段を構成する。ピン挿入孔１５は、支持板１２ａ、１２ｂのうちの片方と支持片１１とに設けるようにしてもよい。また、固定ピン１６の代わりに、ボルト・ナットなどが使用できる。
【００２８】
上記厚み調整板１２ｃは、支持板１１ａとほぼ同一の厚みに調整され、図６に示すように空洞１２ｄには支持片１１が折り畳むことにより入るようになっている。
【００２９】
上記右端の支持片１３は、その左側端部において２枚の支持板１３ａ、１３ｂの間に前記支持片１２を挟み、支持片１３の右側端部において２枚の支持板１３ａ、１３ｂの間に厚み調整板１３ｃを挟んで構成され、長手方向中央部には空洞１３ｄが設けられている。そして、２つの支持板１３ａ、１３ｂと支持片１２とが重なった部分には軸１７とピン挿入孔１８とが設けられている。軸１７は、支持片１２と支持片１３とを相互に揺動でき、折り畳みことができるようにするものである。ピン挿入孔１８は、本実施形態では２つの支持板１３ａ、１３ｂと、支持片１２のそれぞれに設けられており、これらピン挿入孔１８に対し固定ピン１９を挿入することで、図５に示すように、支持片１２と支持片１３との間の挟角θ２を一定に固定できるようになっている。挟角θ２は、前記挟角θ１と同一であっても異なっていてもよい。
【００３０】
上記ピン挿入孔１８および固定ピン１９は固定手段を構成する。ピン挿入孔１８は、支持板１３ａ、１３ｂのうちの片方と支持片１２とに設けるようにしてもよい。また、固定ピン１９の代わりに、ボルト・ナットなどが使用できる。
【００３１】
上記厚み調整板１３ｃは、支持片１２とほぼ同一の厚みに調整され、図６に示すように空洞１３ｄには支持片１２が折り畳むことにより入るようになっている。また、厚み調整板１３ｃとこれを挟む支持板１３ａ、１３ｂとには取付孔１３ｅが設けられていて、その取付孔１３ｅにワイヤや紐などを挿通させて地面等の設置面に固定させ得るようになっている。なお、上述した支持部材１０の全体または、少なくとも支持板１１ａ、１２ａ、１２ｂ、１３ａ、１３ｂおよび厚み調整板１２ｃ、１３ｃは、木材により形成される。
【００３２】
このように構成された支持部材１０は、固定ピン１６、１９を取り外した状態では、支持片１１、１２を軸１４回りに揺動させ、支持片１２、１３を軸１７回りに揺動させることで折り畳みでき、固定ピン１６、１９をピン挿入孔１５、１８に挿入した状態では支持片１１、１２、１３のそれぞれの間で形成される挟角をθ１、θ２に固定できる。これにより、支持部材１０は、折り曲げ状態に形成される。なお、ピン挿入孔１５、１８は、それぞれ１箇所だけに設ける必要はなく、２箇所以上に設けるようにしてもよい。この構成の場合は、固定ピン１６、１９を挿入するピン挿入孔１５、１８を変えることにより、挟角を変えることが可能となる。
【００３３】
次に、上述した折り曲げ状態の支持部材１０を複数、例えば６個用い、図３に示すようにこれら支持部材１０の一端側（上端側）の支持片１１をドーム形状用連結部材３の固定部５にボルト・ナット７により連結する。詳述すると、固定部５に設けた取付孔５ａと、支持部材１０の一端側の支持片１１に設けた取付孔１１ｂとを一致させ、両取付孔５ａ、１１ｂに対してボルト・ナット７により連結する。
【００３４】
これによりドーム形状のテント膜２を内側から支持する支持構造１が得られる。そして、この支持構造１にテント膜２を被せると、ドーム形状のテントが得られる。なお、適当なタイミングで取付孔１３ｅにワイヤや紐などを挿通させて設置面に固定しておく。
【００３５】
しかる後、テントが不要になると、テント膜２を外すとともにドーム形状用連結部材３から支持部材１０を外し、その取り外した支持部材１０から固定ピン１６、１９を抜き、支持片１１を支持片１２の空洞１２ｄに入れ、その支持片１２を支持片１３の空洞１３ｄに入れて折り畳む。これにより、この第１実施形態による場合には、支持片１３の大きさにまで支持部材１０を小型化でき、持ち運び容易性を向上させ得る。なお、支持片１１〜１３の折り畳みに際して、支持片１１を支持片１２の空洞１２ｄに入れかつ支持片１２を支持片１３の空洞１３ｄに入れた状態にしなくても、十分に小型化でき、持ち運び容易性を向上させ得ることは勿論である。
【００３６】
また、この第１実施形態による場合には、対向する支持板同士の間隔が広い最下端の支持片１３が地面側に配置するので接地性が向上し、支持構造１を設置する上で安定化させ易いという利点がある。
【００３７】
なお、この第１実施形態の支持構造１においては平面視で概略六角形をしたドーム形状のテント膜２を内側から支持するため、図３に示したように６つの支持部材１０を用いた構成としているが、本発明はこれに限らず、例えばドームの形状に応じて３つ以上の任意の数の支持部材１０を用いた構成としてもよい。これに対応してドーム形状用連結部材３は、固定部５の数および配置を調整するようにしてもよい。但し、例えば６つの支持部材１０から半分の３つの支持部材１０を用いる構成とする場合には、６つの固定部５の半分を使用し、残り半分を未使用のままで残すようにしてもよい。
【００３８】
また、上述した第１実施形態ではドーム形状用連結部材３として、円柱部材４の周りに複数の固定部５を配した構成としているが、本発明はこれに限らず、例えば図７に示すように、円柱部材４を省略して固定部５を構成する部材８を複数（例えば３つ）用い、これら部材８同士を、材質に応じて接着や溶接等により直接的に連結した構成としてもよいことは勿論である。
【００３９】
（第２実施形態）
図８は本発明の第２実施形態に係る支持構造を示す外観斜視図であり、図９はこの支持構造により支持される蒲鉾形状のテント膜を示す外観斜視図である。
【００４０】
この支持構造２０は、蒲鉾形状のテント膜２Ａを内側から支持するものであり、天井部分に配される連結部材２１で、折り曲げ状態に形成された支持部材１０を連結してアーチ状をした支持枠２２となし、その支持枠２２を複数、この図示例では３つ間隔をあけて並設し、隣り合う支持枠２２を並設用連結手段２３により連結した構成である。なお、支持部材１０は、第１実施形態のものと同一構成である。
【００４１】
図１０は図８に示す支持構造２０の平面図であり、図１１（ａ）は連結部材２１の一例を示す斜視図、図１１（ｂ）は並設用連結手段２３を構成する連結棒部材２４の一例を示す斜視図、同（ｃ）はその連結棒部材２４の一端部２４аまたは他端部２４ｂが取付けられる取付部材２５の一例を示す斜視図である。
【００４２】
連結部材２１は、平板状の金属プレートであって、各支持枠２２における一対の支持部材１０の最上端の支持片１１を連結する箇所を挟む両側に配される。また、取付部材２５は、Ｌ字状の金属部材で形成されていて、角棒状の連結棒部材２４の一端２４аを取付ける箇所に、その一端２４аを水平方向に挟むように２つ１組で用いられるとともに、連結棒部材２４の他端２４ｂを取付ける箇所に、その他端２４ｂを水平方向に挟むように２つ１組で用いられる。よって、この図示例では、１組の取付部材２５は、外側の２つの支持枠２２の内側と、中央の支持枠２２の両側との４カ所に配される。そして、一方の外側の支持枠２２と中央の支持枠２２との間と、他方の外側の支持枠２２と中央の支持枠２２との間とに連結棒部材２４が、一端２４аを１組の取付部材２５に取付けられ、他端２４ｂも１組の取付部材２５に取付けられて配設される。
【００４３】
そして、連結部材２１、取付部材２５および連結棒部材２４の連結は以下のように行われる。支持片１１に設けた取付孔１１ｂに対し、連結部材２１に設けた取付孔２１аと、取付部材２５に設けた取付孔２５аとを一致させ、その状態でボルト・ナットにより連結する。更に、１組の取付部材２５の間に連結棒部材２４を配し、連結棒部材２４の両端２４а、２４ｂにそれぞれ設けた取付孔２４ｃに対し、１組の取付部材２５の取付孔２５аを一致させ、その状態でボルト・ナットにより連結することで行われる。
【００４４】
なお、連結部材２１、取付部材２５および連結棒部材２４は一例であり、他の構成のものを使用することができるのは勿論である。例えば、図１２に示すように、連結部材２１の片面側に１組の取付部材２５を適長離隔するようにして溶接等により一体化したもの、或いは、図１３に示すように連結部材２１の上部に庇部２１ｃを設けたものなどを使用することができる。図１３に示したものは、連結部材２１で一対の支持部材１０の支持片１１を連結して支持枠２２を形成し、庇部２１ｃの上に連結棒部材２４を載せた状態で支持枠２２に連結させるように使用される。そして、支持片１１と連結部材２１との連結は、例えば取付孔１１ａと取付孔２１ａとを一致させてボルト・ナットにより締結することにより行われ、連結棒部材２４と庇部２１ｃとの連結は、例えば取付孔２４ｃと庇部２１ｃに設けた取付孔２４ｄとを一致させてボルト・ナットにより締結することにより行われる。このような図１２や図１３に示すものは、連結部材２１と、並設用連結手段２３の一部、例えば取付部材２５とを一体化したものであり、構成を簡略化することが可能になる。
【００４５】
また、上述した第２実施形態では３つの支持枠を並設した構成としているが、本発明はこれに限らず、２つまたは４以上の支持枠を並設した構成の支持構造に対しても同様に適用することができる。
【００４６】
更に、上述した第２実施形態では並設用連結手段２３を連結部材２１の箇所に、つまり天井部に配しているが、本発明はこれに限らず、並設用連結手段２３を天井部以外の箇所に、例えば図８にＢで示す支持部材１０の任意の箇所（図示例では支持片１３の箇所）に配してもよい。また、天井部と天井部以外の１または２以上の箇所に配してもよい。
【００４７】
更にまた、上述した第１、第２実施形態では３つの支持片１１、１２、１３を備える支持部材１０を用いているが、本発明はこれに限らず、２つまたは４つ以上の支持片が折り畳み可能に連結された支持部材、または折り畳んで重合するように連結された支持部材を用いてもよい。
【００４８】
更にまた、上述した第１、第２実施形態では、支持部材の支持片を木材で構成した例で説明しているが、本発明はこれに限らず、支持部材を構成する支持片を樹脂や金属などで構成しても実施できることは勿論である。
【図面の簡単な説明】
【００４９】
【図１】本発明の一実施形態に係る支持構造を示す外観斜視図である。
【図２】図１の支持構造により支持されるドーム形状のテント膜を示す外観斜視図である。
【図３】ドーム形状用連結部材を示す平面図である。
【図４】支持部材の構成を示す図であり、支持部材を真っ直ぐ伸ばした状態を示す。
【図５】支持部材の構成を示す図であり、支持片を所定角度に折り曲げた状態を示す。
【図６】支持部材の支持片を折り畳んだ状態を示す図である。
【図７】ドーム形状用連結部材の他の構成例を示す平面図である。
【図８】本発明の第２実施形態に係る支持構造を示す外観斜視図である。
【図９】図８の支持構造により支持される蒲鉾形状のテント膜を示す外観斜視図である。
【図１０】図８に示す支持構造の平面図である。
【図１１】（ａ）は連結部材の一例を示す斜視図、（ｂ）は並設用連結手段を構成する連結棒部材の一例を示す斜視図、（ｃ）はその連結棒部材の端部が取付けられる取付部材の一例を示す斜視図である。
【図１２】取付部材の他の構成例を示す斜視図である。
【図１３】（ａ）は取付部材の他の構成例を示す正面図、（ｂ）はその右側面図である。
【図１４】従来の支持構造を示す外観斜視図である。
【符号の説明】
【００５０】
１    支持構造
２    ドーム形状のテント膜
２Ａ    蒲鉾形状のテント膜
３    ドーム形状用連結部材
５    固定部
１０    支持部材
１１、１２、１３    支持片
１１ａ、１２ａ、１２ｂ、１３ａ、１３ｂ    支持板
１２ｃ、１３ｃ    厚み調整板
１２ｄ、１３ｄ    空洞
１６、１９    固定ピン
２０    支持構造
２２    支持枠
２３    並設用連結手段
２４    連結棒部材
２５    取付部材
２１    連結部材
θ１、θ２    挟角
【図１】
2008174956.tif 000003
【図２】
2008174956.tif 000004
【図３】
2008174956.tif 000005
【図４】
2008174956.tif 000006
【図５】
2008174956.tif 000007
【図６】
2008174956.tif 000008
【図７】
2008174956.tif 000009
【図８】
2008174956.tif 000010
【図９】
2008174956.tif 000011
【図１０】
2008174956.tif 000012
【図１１】
2008174956.tif 000013
【図１２】
2008174956.tif 000014
【図１３】
2008174956.tif 000015
【図１４】
2008174956.tif 000016